(57)【特許請求の範囲】
【請求項１】
撮像部と、
入力されたビデオ信号を所定の記録信号に変換して記録媒体に記録する記録回路と、
着脱自在のメモリユニットであって、フェードインあるいはフェードアウトに使用される画面となる画像データが保存されている不揮発性メモリを有するメモリユニットが装着されるコネクタと、
出力するビデオ信号を第１のビデオ信号および第２のビデオ信号の一方から他方へ次第に変更してフェード処理を行うフェーダ回路と
を有し、
第１の記録モードに設定した場合には、上記撮像部により得られるビデオ信号を上記フェーダ回路により処理することなく上記記録回路に供給して上記記録媒体に記録し、
上記コネクタに上記メモリユニットを装着した状態で第２の記録モードに設定した場合には、上記メモリユニットに保存されている上記画像データを、上記フェーダ回路に上記第１のビデオ信号として供給するとともに、上記撮像部により得られる上記ビデオ信号を上記フェーダ回路に上記第２のビデオ信号として供給することにより、上記フェーダ回路から上記メモリユニットに保存されている上記画像のビデオ信号と、上記撮像部により得られるビデオ信号との間でフェード処理をしたビデオ信号を取り出し、
この取り出したビデオ信号を上記記録回路に供給して上記記録媒体に記録する
ようにした撮像記録装置。
【請求項２】
撮像部と、
入力されたビデオ信号を所定の記録信号に変換して記録媒体に記録し、この記録媒体から上記記録信号を再生するとともに、上記ビデオ信号に変換して出力する記録再生回路と、
着脱自在のメモリユニットであって、フェードインあるいはフェードアウトに使用される画面となる画像データが保存されている不揮発性メモリを有するメモリユニットが装着されるコネクタと、
出力するビデオ信号を第１のビデオ信号および第２のビデオ信号の一方から他方へ次第に変更してフェード処理を行うフェーダ回路と、
エンコーダ回路と、
表示デバイスと
を有し、
第１の記録モードに設定した場合には、上記撮像部により得られるビデオ信号を上記フェーダ回路により処理することなく上記記録回路に供給して上記記録媒体に記録し、
上記コネクタに上記メモリユニットを装着した状態で第２の記録モードに設定した場合には、上記メモリユニットに保存されている上記画像データを、上記フェーダ回路に上記第１のビデオ信号として供給するとともに、上記撮像部により得られる上記ビデオ信号を上記フェーダ回路に上記第２のビデオ信号として供給することにより、上記フェーダ回路から上記メモリユニットに保存されている上記画像のビデオ信号と、上記撮像部により得られるビデオ信号との間でフェード処理をしたビデオ信号を取り出し、
この取り出したビデオ信号を上記記録再生回路に供給して上記記録媒体に記録し、
第１の再生モードに設定した場合には、上記記録再生回路により上記記録媒体から上記ビデオ信号を再生し、
この再生したビデオ信号を、上記フェーダ回路により処理することなく上記表示デバイスに供給して上記再生したビデオ信号による画面を表示するとともに、上記エンコーダ回路に供給して標準方式のビデオ信号に変換して外部に出力し、
上記コネクタに上記メモリユニットを装着した状態で第２の再生モードに設定した場合には、上記記録再生回路により上記記録媒体から上記ビデオ信号を再生し、
上記メモリユニットに保存されている上記画像データを、上記フェーダ回路に上記第１のビデオ信号として供給するとともに、上記再生したビデオ信号を上記フェーダ回路に上記第２のビデオ信号として供給することにより、上記フェーダ回路から上記メモリユニットに保存されている上記画像のビデオ信号と、上記再生したビデオ信号との間でフェード処理をしたビデオ信号を取り出し、
この取り出したビデオ信号を上記表示デバイスに供給して上記再生したビデオ信号による画面を表示するとともに、上記エンコーダ回路に供給して標準方式のビデオ信号に変換して外部に出力する
ようにした撮像記録再生装置。
【発明の詳細な説明】
【０００１】
【発明の属する技術分野】
この発明は、撮像記録装置および撮像記録再生装置に関する。
【０００２】
【従来の技術】
ビデオカメラが一体化されたＶＴＲとして、記録時、フェードインやフェードアウトなどのフェード処理のできるものがある。すなわち、フェードインのときには、全体が白色あるいは黒色の画面から目的の画面へと次第に切り換わっていき、フェードアウトのときには、逆に、現在の画面から全体が白色あるいは黒色の画面に切り換わっていく。また、テープに画面（映像）が記録されている場合、その記録されている画面から撮像中の画面へと次第に切り換わっていくオーバーラップ処理（クロスフェード処理）のできるＶＴＲもある。
【０００３】
【発明が解決しようとする課題】
ところが、上記のフェード処理の場合には、そのフェード処理に利用できる画面が、白色の画面、黒色の画面、あるいはテープに記録されている画面であり、あらかじめＶＴＲに用意しておいた画面に限定されてしまう。例えば、ユーザがパーソナルコンピュータにより独自のオープニング画面を作成しても、このオープニング画面から本編の画面にフェードインしていくようにはできない。
【０００４】
この発明は、このような問題点を解決しようとするものである。
【０００５】
【課題を解決するための手段】
この発明においては、
撮像部と、
入力されたビデオ信号を所定の記録信号に変換して記録媒体に記録する記録回路と、
着脱自在のメモリユニットであって、フェードインあるいはフェードアウトに使用される画面となる画像データが保存されている不揮発性メモリを有するメモリユニットが装着されるコネクタと、
出力するビデオ信号を第１のビデオ信号および第２のビデオ信号の一方から他方へ次第に変更してフェード処理を行うフェーダ回路と
を有し、
第１の記録モードに設定した場合には、上記撮像部により得られるビデオ信号を上記フェーダ回路により処理することなく上記記録回路に供給して上記記録媒体に記録し、
上記コネクタに上記メモリユニットを装着した状態で第２の記録モードに設定した場合には、上記メモリユニットに保存されている上記画像データを、上記フェーダ回路に上記第１のビデオ信号として供給するとともに、上記撮像部により得られる上記ビデオ信号を上記フェーダ回路に上記第２のビデオ信号として供給することにより、上記フェーダ回路から上記メモリユニットに保存されている上記画像のビデオ信号と、上記撮像部により得られるビデオ信号との間でフェード処理をしたビデオ信号を取り出し、
この取り出したビデオ信号を上記記録回路に供給して上記記録媒体に記録する
ようにした撮像記録装置
とするものである。
したがって、メモリユニットに用意された画像のビデオ信号を使用してフェード処理が実行される。
【０００６】
【発明の実施の形態】
〔構成〕
図１において、符号１０は、この発明をＤＶ方式のビデオカメラ一体型ＶＴＲに適用した場合の一例を示し、このＶＴＲ１０は、撮像部１１、記録再生回路１２および回転磁気ヘッド１４を有する。
【０００７】
この場合、撮像部１１は、例えば、撮像レンズ、ＣＣＤ撮像素子、Ａ／Ｄコンバータ回路、色信号処理回路などを有し、撮像時、例えば、輝度信号と赤および青の色差信号とを有するデジタルビデオ信号Ｓ11を出力するものである。
【０００８】
また、記録再生回路１２は、記録時、ビデオ信号Ｓ11などをＤＶ方式の記録信号に変換し、再生時には、再生信号からもとのビデオ信号を取り出すものである。このため、記録再生回路１２は、データ圧縮回路、記録用のエラー訂正回路および変調回路、再生用の復調回路およびエラー訂正回路、データ伸張回路などを有するとともに、フレームメモリ１３を有する。
【０００９】
さらに、回転磁気ヘッド１４の回転周面には、記録媒体として磁気テープ１５が所定の各範囲にわたって斜めに巡らされるとともに、記録時および再生時、そのテープ１５が所定の速度で走行させられ、信号の記録あるいは再生が実行される。
【００１０】
また、ＶＴＲ１０は、表示回路１６およびエンコーダ回路１８を有するとともに、表示デバイスあるいはビューファイダとして、例えばカラーＬＣＤパネル１７を有する。そして、表示回路は１６は、記録あるいは再生時のビデオ信号をＬＣＤパネル１７に対応した表示信号に変換してＬＣＤパネル１７に供給するものである。また、エンコーダ回路１８は、撮像部１１の撮像したビデオ信号Ｓ11やテープ１５から再生されたビデオ信号を、標準方式、例えばＮＴＳＣ方式のカラーコンポジット信号に変換して端子１９に出力するものである。
【００１１】
さらに、ＶＴＲ１０には、特殊効果回路２１およびフェーダ回路２２が設けられる。この場合、特殊効果回路２１は、ビデオ信号Ｓ11などに対して、ソラリゼーション、モザイク、セピア色化などの特殊効果の処理を行うものである。また、フェーダ回路２２は、第１のビデオ信号から第２のビデオ信号へ次第に変更して出力することによりフェード処理を実現するための回路であり、フィールドメモリ２３が接続されている。
【００１２】
また、パーソナルコンピュータなどにより用意した画面を利用したフェード処理を実現するため、変換回路３１、インターフェイス回路３２およびコネクタ３３が設けられる。この場合、変換回路３１は、ビデオ信号Ｓ11の１フィールド分を例えばＪＰＥＧ形式の画像データＤ31に変換するとともに、ＪＰＥＧ形式の画像データＤ31をビデオ信号Ｓ11と等しいフォーマットのビデオ信号Ｓ31に変換するものである。また、インターフェイス回路３２は、変換回路３１とコネクタ３３との間に接続される。
【００１３】
そして、コネクタ３３には、メモリユニット６０が接続される。このメモリユニット６０は、所定の容器ないしケースに、不揮発性のメモリ、例えばフラッシュメモリ６１およびインターフェイス回路６２を内蔵したものであり、ＶＴＲ１０に対して着脱自在とされている。そして、ユーザがメモリユニット６０をＶＴＲ１０に装着すると、メモリ６１が、インターフェイス回路６２を通じてコネクタ３３に接続される。なお、このようなメモリユニット６０として、ＰＣＭＣＩＡカード規格のメモリカードやメモリースティック（登録商標）などがある。
【００１４】
さらに、システム制御用としてマイクロコンピュータ４０が設けられ、操作ボタン（操作スイッチ）４１の操作に対応して、マイクロコンピュータ４０により上述した各回路が制御されるとともに、スイッチ回路５１〜５６の切り換えが制御される。
【００１５】
〔動作〕
図１に示すビデオカメラ一体型ＶＴＲ１０においては、それぞれの動作モードが以下のように実現される。なお、スイッチ回路５１〜５６は、マイクロコンピュータ４０によりそれぞれの動作モードにおいて必要な接点位置に切り換えられているものとする。
【００１６】
▲１▼  記録モード（フェード処理を実行しないとき）
この場合には、撮像部１１からのビデオ信号Ｓ11が、スイッチ回路５１→スイッチ回路５３→スイッチ回路５５の信号ラインを通じてフェーダ回路２２に供給される。
【００１７】
そして、今は、フェード処理を実行しないときなので、フェーダ回路２２に供給されたビデオ信号Ｓ11はフェーダ回路２２からそのままビデオ信号Ｓ22として取り出される。続いて、この取り出されたビデオ信号Ｓ22（＝Ｓ11）が記録再生回路１２に供給されて記録信号に変換され、この記録信号がヘッド１４に供給される。したがって、撮像部１１の撮像した画像がテープ１５に順次記録されていく。
【００１８】
また、このとき、フェーダ回路２２から取り出されるビデオ信号Ｓ22が、表示回路１６に供給されて表示信号に変換され、この表示信号がＬＣＤパネル１７にされ、撮像部１１の撮像している画像がＬＣＤパネル１７に表示される。さらに、フェーダ回路２２から出力されるビデオ信号Ｓ22が、エンコーダ回路１８により例えばＮＴＳＣカラーコンポジット信号に変換され、外部出力としてコネクタ１９に取り出される。
【００１９】
▲２▼  記録モード（フェード処理を実行するとき）
この場合には、メモリユニット６０のメモリ６１に、フェード処理に使用する画面をＪＰＥＧ形式の画像データＤ31の状態であらかじめ用意しておく。例えば、パーソナルコンピュータでフェード処理に使用する画像を作成し、その画像のＪＰＥＧ形式の画像データＤ31を、パーソナルコンピュータからメモリユニット６０のメモリ６１に転送しておく。そして、そのようなメモリユニット６０をＶＴＲ１０に装着しておく。
【００２０】
そして、メモリ６１に書き込まれている画像データＤ31が、インターフェイス回路６２→コネクタ３３→インターフェイス回路３２の信号ラインを通じて変換回路３１に供給され、この変換回路３１において、ビデオ信号Ｓ11と等しいフォーマットのビデオ信号Ｓ31に変換される。そして、このビデオ信号Ｓ31が、スイッチ回路５３→スイッチ回路５５→フェーダ回路２２の信号ラインを通じてフィールドメモリ２３に保存される。
【００２１】
また、撮像部１１から出力されるビデオ信号Ｓ11が、スイッチ回路５１→スイッチ回路５３→スイッチ回路５５の信号ラインを通じてフェーダ回路２２に供給される。
【００２２】
そして、このとき、フェーダ回路２２において、フィールドメモリ２３に保存されているビデオ信号Ｓ31（メモリユニット６０から転送されてきた信号Ｓ31）と、スイッチ回路５５を通じて撮像部１１から送られてきたビデオ信号Ｓ11との間でフェード処理が実行され、そのフェード処理されたビデオ信号Ｓ22がフェーダ回路２２から出力される。
【００２３】
例えば、撮像部１１の撮像した画面がフェードインするときには、ビデオ信号Ｓ22は、最初は、メモリ２３から読み出されたビデオ信号Ｓ31であるが、このビデオ信号Ｓ31にビデオ信号Ｓ11が混合されるとともに、そのビデオ信号Ｓ11の割り合いが次第に大きくされていき、ついにはビデオ信号Ｓ22にはビデオ信号Ｓ31は含まれなくされ、Ｓ22＝Ｓ11とされる。
【００２４】
あるいは、逆に、撮像部１１の撮像した画面がフェードアウトするときには、ビデオ信号Ｓ22は、最初は、撮像部１１の撮像したビデオ信号Ｓ11であるが、この信号Ｓ11に、メモリ２３から読み出されたビデオ信号Ｓ31が混合されるとともに、そのビデオ信号Ｓ31の割り合いが次第に大きくされていき、ついにはビデオ信号Ｓ22にはビデオ信号Ｓ11は含まれなくされ、Ｓ22＝Ｓ31とされる。
【００２５】
そして、このビデオ信号Ｓ22が記録再生回路１２に供給されて記録信号に変換され、この記録信号がヘッド１４に供給される。したがって、撮像部１１の撮像した画像が、メモリユニット６０に用意されている画像によりフェード処理されてテープ１５に順次記録されていくことになる。
【００２６】
なお、この場合も、フェーダ回路２２から取り出されるビデオ信号Ｓ22が、表示回路１６に供給され、撮像部１１の撮像している画像がＬＣＤパネル１７に表示されるとともに、フェード処理中は、そのフェード処理されている画面がＬＣＤパネル１７に表示される。また、そのＮＴＳＣカラーコンポジット信号がコネクタ１９に取り出される。
【００２７】
▲３▼  再生モード（フェード処理を実行しないとき）
この場合には、テープ１５に記録されている信号がヘッド１４により再生され、その再生信号が記録再生回路１２に供給されてもとのビデオ信号Ｓ22が取り出される。そして、このビデオ信号Ｓ22が、スイッチ回路５６→スイッチ回路５１→スイッチ回路５３→スイッチ回路５５の信号ラインを通じてフェーダ回路２２に供給される。
【００２８】
そして、今は、フェード処理を実行しないときなので、フェーダ回路２２に供給されたビデオ信号Ｓ22はフェーダ回路２２からそのまま取り出され、この取り出されたビデオ信号Ｓ22が表示回路１６に供給されて表示信号に変換され、この表示信号がＬＣＤパネル１７にされる。したがって、テープ１５からの再生画面がＬＣＤパネル１７に表示される。
【００２９】
さらに、フェーダ回路２２から出力されるビデオ信号Ｓ22が、エンコーダ回路１８によりＮＴＳＣカラーコンポジット信号に変換され、外部出力としてコネクタ１９に取り出される。
【００３０】
したがって、テープ１５の再生を行うことができ、その再生画像をＬＣＤパネル１７により見ることができるとともに、その再生信号をコネクタ１９に取り出すことができる。
【００３１】
▲４▼  再生モード（フェード処理を実行するとき）
この場合には、例えば▲２▼の場合と同様の方法によりフェード処理に使用する画面をＪＰＥＧ形式の画像データＤ31の状態で、メモリユニット６０のメモリ６１にあらかじめ用意しておく。
【００３２】
そして、メモリ６１に書き込まれている画像データＤ31が、インターフェイス回路６２→コネクタ３３→インターフェイス回路３２の信号ラインを通じて変換回路３１に供給され、この変換回路３１において、ビデオ信号Ｓ11と等しいフォーマットのビデオ信号Ｓ31に変換される。そして、このビデオ信号Ｓ31が、スイッチ回路５３→スイッチ回路５５→フェーダ回路２２の信号ラインを通じてフィールドメモリ２３に保存される。
【００３３】
また、▲３▼の場合と同様にしてテープ１５に記録されている信号が、ヘッド１４および記録再生回路１２により再生されてビデオ信号Ｓ22が取り出され、このビデオ信号Ｓ22が、スイッチ回路５６→スイッチ回路５１→スイッチ回路５３→スイッチ回路５５の信号ラインを通じてフェーダ回路２２に供給される。
【００３４】
そして、このとき、フェーダ回路２２において、フィールドメモリ２３に保存されているビデオ信号Ｓ31（メモリユニット６０から転送されてきた信号Ｓ31）と、スイッチ回路５５を通じて記録再生回路１２から送られてきたビデオ信号Ｓ22との間でフェード処理が実行され、このフェード処理されたビデオ信号Ｓ22がフェーダ回路２２から出力される。
【００３５】
そして、この場合も、フェーダ回路２２から取り出されるビデオ信号Ｓ22が、表示回路１６に供給され、テープ１５から再生された画面がＬＣＤパネル１７に表示されるとともに、フェード処理中は、そのフェード処理されている画面がＬＣＤパネル１７に表示される。また、そのＮＴＳＣカラーコンポジット信号がコネクタ１９に取り出される。
【００３６】
したがって、テープ１５から再生された画面をＬＣＤパネル１７により見ることができるとともに、その再生信号をコネクタ１９に取り出すことができる。そして、そのとき、再生画面および再生信号に対して、メモリユニット６０に用意されている画像によりフェード処理を行うことができる。
【００３７】
▲５▼  記録画面および再生画面のメモリユニットへの保存
▲１▼の記録モードの場合、撮像部１１からのビデオ信号Ｓ11が、スイッチ回路５２を通じて変換回路３１に供給され、そのビデオ信号Ｓ11の１フィールド分がＪＰＥＧ形式の画像データＤ31に変換される。そして、この画像データＤ31が、インターフェイス回路３２→コネクタ３３→インターフェイス回路６２の信号ラインを通じてメモリ６１に書き込まれる。したがって、撮像部１１の撮像した画面をメモリユニット６０に保存することができる。
【００３８】
また、▲３▼の再生モードの場合、記録再生回路１２から出力されるビデオ信号Ｓ22が、スイッチ回路５６→スイッチ回路５２の信号ラインを通じて変換回路３１に供給され、そのビデオ信号Ｓ22の１フィールド分がＪＰＥＧ形式の画像データＤ31に変換される。
【００３９】
そして、この画像データＤ31が、インターフェイス回路３２→コネクタ３３→インターフェイス回路６２の信号ラインを通じてメモリ６１に書き込まれる。したがって、テープ１５から再生された画面をメモリユニット６０に保存することができる。
【００４０】
▲６▼  メモリユニットからの再生
メモリ６１に書き込まれている画像データＤ31が、インターフェイス回路６２→コネクタ３３→インターフェイス回路３２の信号ラインを通じて変換回路３１に供給され、この変換回路３１において、ビデオ信号Ｓ11と等しいフォーマットのビデオ信号Ｓ31に変換される。
【００４１】
そして、このビデオ信号Ｓ31が、スイッチ回路５３→スイッチ回路５５→フェーダ回路２２の信号ラインを通じて表示回路１６およびエンコーダ回路１８に供給される。したがって、メモリユニット６０に保存されている画面をＬＣＤパネル１７により見ることができるとともに、そのビデオ信号Ｓ22をコネクタ１９から取り出すことができる。また、このことから、メモリユニット６０に複数の画面を保存しておき、そのうちの任意の画面を選択してフェード処理に使うことができる。
【００４２】
▲７▼  特殊効果の付加
▲１▼および▲２▼の記録モードの場合、スイッチ回路５３から取り出されるビデオ信号Ｓ11が、スイッチ回路５４を通じて特殊効果回路２１に供給されるとともに、この特殊効果回路２１から出力されるビデオ信号が、スイッチ回路５５を通じてフェーダ回路２２に供給される。したがって、記録モードのときには、撮像部１１の撮像した画面に対して、ソラリゼーション、モザイク、セピア色化などの特殊効果を施すことができる。
【００４３】
また、▲３▼および▲４▼の再生モードの場合、記録再生回路１２から出力されるビデオ信号Ｓ22が、スイッチ回路５４を通じて特殊効果回路２１に供給されるとともに、この特殊効果回路２１から出力されるビデオ信号が、スイッチ回路５５を通じてフェーダ回路２２に供給される。したがって、再生モードのときには、テープ１５から再生された画面に対して、各種の特殊効果を施すことができる。
【００４４】
さらに、▲６▼のメモリユニット６０からの再生時、メモリ６１に書き込まれている画像データＤ31が、変換回路３１において、ビデオ信号Ｓ11と等しいフォーマットのビデオ信号Ｓ31に変換されるが、このビデオ信号Ｓ31が、スイッチ回路５３→スイッチ回路５４の信号ラインを通じて特殊効果回路２１に供給される。
【００４５】
また、この特殊効果回路２１から出力されるビデオ信号が、スイッチ回路５５を通じてフェーダ回路２２に供給される。したがって、メモリユニット６０に保存されている画面に対して、各種の特殊効果を施した画面をＬＣＤパネル１７により見ることができるとともに、そのビデオ信号Ｓ22をコネクタ１９から取り出すことができる。
【００４６】
〔まとめ〕
図１に示すビデオカメラ一体型ＶＴＲ１０によれば、メモリユニット６０に用意しておいた画面を使ってフェード処理を行うことができるとともに、そのメモリユニット６０はＶＴＲ１０に対して着脱自在とされている。したがって、フェード処理に使う画面を、パーソナルコンピュータなどにより自由に用意することができるので、フェード処理時の画面をユーザ独自なもの、あるいは多彩なものにすることができる。
【００４７】
また、メモリユニット６０には、撮像部１１の撮像した画面やテープ１５に記録されている画面を保存することもできる。
【００４８】
なお、上述においては、フェーダ回路２２の実行するフェード処理が、フェード処理前の画面のビデオ信号と、フェード処理後の画面のビデオ信号との混合比を次第に変更する処理であるが、フェード処理前の画面と、フェード処理後の画面とをワイプ処理などにより次第に変更する処理であってもよい。
【００４９】
また、ＤＶ方式のＶＴＲの場合には、磁気テープ１５がテープカセットに収納されているが、そのテープカセットに不揮発性メモリが内蔵されているときには、フェード処理に使用した画像の画像データＤ31の情報、例えばファイルネームを、テープ１５上の記録位置とともに、テープカセットに内蔵されている不揮発性メモリに書き込むことにより、テープ１５上の画像を検索するときのデータとして使用することもできる。
【００５０】
〔この明細書で使用している略語の一覧〕
Ａ／Ｄ      ：Analog to Digital
ＣＣＤ      ：Charge Coupled Device；電荷結合素子
ＤＶ        ：Digital Video
ＪＰＥＧ    ：Joint Photographic Experts Group
ＬＣＤ      ：Liquid Crystal Display；液晶ディスプレイ
ＮＴＳＣ    ：National Television System Committee；米国テレビジョン方式委員会
ＰＣＭＣＩＡ：Personal Computer Memory Card International Associ-                  ation；パーソナルコンピュータメモリカード国際会議
ＶＴＲ      ：Video Tape Recorder；磁気記録再生装置
【００５１】
【発明の効果】
この発明によれば、パーソナルコンピュータなどによりフェード処理に使う画面を用意することができるので、フェード処理に使う画面をユーザ独自なものにすることができる。
【図面の簡単な説明】
【図１】この発明の一形態を示す系統図である。
【符号の説明】
１０…カメラ一体型ＶＴＲ、１１…撮像部、１２…記録再生回路、１３…フレームメモリ、１４…回転磁気ヘッド、１５…磁気テープ、１６…表示回路、１７…カラーＬＣＤパネル、１８…ＮＴＳＣエンコーダ回路、１９…コネクタ、２１…特殊効果回路、２２…フェーダ回路、２３…フィールドメモリ、３１…変換回路、３２…インターフェイス回路、３３…コネクタ、４０…マイクロコンピュータ、４１…操作ボタン、５１〜５６…スイッチ回路、６０…メモリユニット、６１…不揮発性メモリ、６２…インターフェイス回路
【図１】
0004269121.tif 000002